(57)【特許請求の範囲】
【請求項１】
供給コンベアの終端と受取りコンベアの始端とを接近して設け、前記受取りコンベアの始端上方に鉛直方向の回転軸によって上部の電動機へ連結された回転体を支持し、前記回転軸の直下部に、下方へ開く頂角がおよそ９０°の円錘体とその円錘体の開口部に円錐母線長さの大略半幅の環状円盤を連結し、供給コンベアから送られた釜揚げチリメンを回転軸の外面に付着させて重力によって滑落しつつ穏やかに回転して、円錘体と環状の円盤に至るとチリメンの遠心力が増して受取りコンベアの幅内に飛散させる構成のチリメン煮干製造用のコンベア装置。
【発明の詳細な説明】
【技術分野】
【０００１】
この発明は、主としてチリメン煮干の製造用コンベア装置に関するもので、特に、小魚を煮釜から引き上げるコンベアから、小魚を乾燥させるためのコンベアへ、載せ替えるのに好適な移動手段を備えたコンベア装置に関するものである。
【背景技術】
【０００２】
従来、小魚を煮釜から引き上げる比較的幅の狭い供給コンベアから、小魚を乾燥させるための受取りコンベアへ移動させる際に、乾燥を効率よく行わせるために、比較的幅を広くした受取りコンベアの上へ幅広く、薄く、かつ均一に拡げるための移動手段が設けられている。
【０００３】
その移動手段としては、受取りコンベアの上に鉛直軸の周りを回転する回転円板を配置し、その回転円板上に供給コンベアから小魚を落下させて、遠心力で受取りコンベア上へ拡散させること（特許文献１参照）が知られている。
【０００４】
しかし、電動機が回転円板の下にあり、塩水腐食問題があり、かつ、前記回転円板は中心部と周縁部とでは遠心力の大きさが極端に違うため、回転円板の中心部へ落下した小魚が、前記回転円板の中心部に堆積してしまう不具合があった。この不具合を回避するべく回転円板の回転速度をあげて遠心力を増すことも考慮されたが、小魚が遠心力によって回転円板の周縁から遠くまで飛ばされ、受取りコンベアの幅方向外方に堆積する小魚の厚さが薄くなった。
【０００５】
そこで、回転円板の中心付近に上方へ突出する円錐台状の突起を設け、中央部へ落下した小魚が重力で下方へ落下する際に受取りコンベアの幅方向外方へ移動させる技術（特許文献２参照）が提案された。
【０００６】
しかしながら、前記回転円板の上に円錐台状の突起を設けるものでは、供給コンベアから落下する小魚の速度にバラつきが大きいと、幅方向外方へ移動する量が安定せず、受取りコンベア上に堆積する小魚の層の厚さが一定しない不具合があった。
【０００７】
また、供給コンベアと受取りコンベアのコンベアベルトには、供給コンベアの高さに相当する大きな段差があり、その間を自然落下させると、煮釜から引き上げられたばかりの水分が多く、重い上に柔らかい小魚の魚体を傷つけ、製品の品質を低下させることがあった。
【特許文献１】特開平８−１９８４３５号公報
【特許文献２】特開２００２−２０４６４８号公報
【発明の開示】
【発明が解決しようとする課題】
【０００８】
この発明が解決しようとする問題点は、電動機を上部に設けるとともに供給コンベアから重力によって受取りコンベア上へ撒布される小魚の量を均一にするために、可及的に小さな落差をもって回転円板上へ供給することのできる構造が簡単で、小魚の魚体を傷つけることのない移動手段を備えたコンベア装置を得ることである。
【課題を解決するための手段】
【０００９】
本発明は、供給コンベアの終端と受取りコンベアの始端とを接近して設け、前記受取りコンベアの始端上方に鉛直方向の回転軸によって上部の電動機へ連結された回転体を支持し、その回転体を前記回転軸の軸線の回りに配置した下方へ開く円錐体とその円錐体の開口部に連結された環状の円盤とで構成したことを最も主要な特徴とする。
【発明の効果】
【００１０】
本発明に係る煮干製造用のコンベア装置は、受取りコンベアの始端上方に設けられる回転円板を、電動機へ連結された回転軸によって、上方から吊り下げてあるから、回転円板の下側に電動機を配置する場合に比して供給コンベアと受取りコンベアとの段差を小さくできる。
【００１１】
供給コンベアと受取りコンベアとの間には比較的大きな落差が存在するが、それらの間には回転軸や、回転軸に吊り下げられた円錐体と円盤からなる回転体が設けられているため、供給コンベアから受取りコンベア上へ直接に落下するときのような衝撃を受けることがなく魚体の損傷を免れる。
【００１２】
前記回転体の回転に伴って円錐体の上に落下した小魚は、円錐状の外面に沿って重力で下方、かつ、周方向へ移動して環状の円盤に達し、その外縁から順次に受取りコンベア上へ供給される。よって、小魚は受取りコンベア上に一様な厚さに拡げられ、引き続く乾燥、あるいは風選の工程を効率よく行うことができるようになる。
【実施例１】
【００１３】
以下、図面で示す本発明の実施例を説明する。図１中、１０は煮干製造用のコンベア装置であり、煮干製造用のコンベア装置１０には供給コンベア１２の終端と受取りコンベア１４の始端とを接近させて配置し、前記受取りコンベア１４の始端上方に鉛直方向の軸の周りを回転する回転体１５が設けられ、供給コンベア１２から受取りコンベア１４へ向けて落下する小魚ｆは、途中回転体１５によって受止められ、落下の衝撃が減じられるとともに、その外周縁から受取りコンベア１４の上に一様な厚さに撒布される。
【００１４】
なお、前記供給コンベア１２は煮干しの材料である小魚ｆを煮釜（図示してない）から掬い上げるための取り出しコンベアであり、他方、受取りコンベア１４は茹上げられた小魚を選別機１８によって風力選別し、小魚ｆの中に含まれる小エビその他の夾雑物を排除する選別コンベアである。また、１９は前記選別機１８によって小魚ｆの中から除外された夾雑物を受け取るゴミ箱である。
【００１５】
前記回転体１５は供給コンベア１２の左右ローラー軸受け部を架橋して支持する枠により、上方に配した電動機１６に連結される回転軸１７によって上方から吊り下げられており、電動機１６によって駆動される。よって、上下に配置された供給コンベア１２の終端と受取りコンベア１４の始端との間に電動機がないので、両コンベア１２，１４間の落差が小さくでき、その間を移動する小魚ｆに与える衝撃が少なくなる。
また、電動機のいたみが少なく衛生的でもある。
【００１６】
前記回転体１５はステンレスの板材からなり、図３で示すように、下方へ開く円錐体１５ａと、その円錐体１５ａの開口部から水平方向へ展開する環状の円盤１５ｂとで構成され、前記円錐体１５ａの頂部に溶着されたボス１５ｃを介して着脱可能に取り付けられている。
【００１７】
２０は小魚ｆのための案内網である。案内網２０は１〜３ｍｍの網目をもち、比較的硬質の合成樹脂によって略短冊状に作られている。そして、前記供給コンベア１２の終端と下方に配置された前記回転体１５との間に配置され図２で示すように、供給コンベア１２の終端の縁と略平行に配置されている。
【００１８】
案内網２０は、また、図４で示すように、供給コンベア１２の幅方向外縁から前記回転軸１７の軸線方向へ向かうにつれて低く傾斜させた、２個が一対として対称に配置されている。
【００１９】
案内網２０の回転軸１７に面した端部は、全長の約半分に亘って上面が凸の円弧状に湾曲させてある。よって、供給コンベア１２から落下し案内網２０によって支承された小魚ｆは、前記円錐体１５ａの頂部へ向けて案内網２０の上を円滑に移動し、円錐体１５ａの外面上へ落下できるようになっている。
【００２０】
コンベア装置１０は以上のように構成されているので、これが運転されると、供給コンベア１２の終端から供給される小魚ｆのうち、供給コンベア１２の幅方向中央部から供給されるものは、前記回転軸１７に当接して進行が阻止され、かつ、回転軸１７の外面に付着して重力によって滑落しつつ緩やかに回転体１５とともに回転しつつ下方に設けられた環状の円盤１５ｂの上へ移動する。
【００２１】
また、供給コンベア１２の幅方向外縁部から供給されるものは、回転体１５の上へ落下するに先立って、案内網２０によって一旦受止められて、段差の大きい受取りコンベア１４への直接の落下が阻止される。すなわち、供給コンベア１２から落下する小魚ｆは、比較的高い位置から受取りコンベア１４の上へ直接落下することがないから、落下した衝撃で損傷するのを回避できる。
【００２２】
また、前記回転体１５の上に落下した小魚ｆは重力で下降するのに伴って、下方へ開く円錐体１５ａの外面に沿って、環状の円盤１５ｂの上へと移動し、その周縁から受取りコンベア１４の上へ落下する。よって、小魚ｆの円錐体１５ａ上を周縁へ向けて移動する動作は重力に大きく依存するので、回転体１５の回転速度が低くてもよく、小魚ｆが環状の円盤１５ｂから受取りコンベア１４の外まで飛散する不具合もなく衛生的である。
【図面の簡単な説明】
【００２３】
【図１】本発明の実施方法を示した装置の要部の外観図である。
【図２】図１中の断面ＩＩ−ＩＩを拡大して示すＩＩ−ＩＩ断面図である。
【図３】図２中のＩＩＩ−ＩＩＩ断面図である。
【図４】図３中のＩＶ−ＩＶ断面図である。
【符号の説明】
【００２４】
１０    煮干製造用のコンベア装置
１２    供給コンベア
１４    受取りコンベア
１５    回転体
１５ａ    円錐体
１５ｂ    環状の円盤
１５ｃ    ボス
１６    電動機
１７    回転軸
１８    選別機
１９    ゴミ箱
２０    案内網
ｆ    小魚
【図１】
0004811876.tif 000002
【図２】
0004811876.tif 000003
【図３】
0004811876.tif 000004
【図４】
0004811876.tif 000005